(57)【要約】【課題】比較的複雑な処理を行うことなく、ハウリングが発生しないように位相を変化させながら音声を出力するハウリング防止装置を実現する。【解決手段】位相制御部２は、経時的に徐々に変化する位相調整値θを生成し、位相シフタ１の調整信号発生部１２１へ与える。位相シフタ１の位相調整器１１１、１１２は、シフタ入力信号に基づいて互いに位相がπ／２異なる二つの第１段位相調整済信号を出力する。調整信号発生部１２１は、位相調整値θの余弦値ｃｏｓ（θ）と正弦値ｓｉｎ（θ）とを生成し、乗算器１２３Ａ，１２３Ｂへそれぞれ与える。乗算器１２３Ａは、一方の第１位相調整済信号と余弦値ｃｏｓ（θ）とを乗算し、乗算器１２３Ｂは、他方の第１位相調整済信号と正弦値ｓｉｎ（θ）とを乗算する。加算器１３は、これら乗算済み信号を加算することで、シフタ入力信号に対して徐々に位相が変化するシフタ出力信号を出力する。【選択図】  図２
2010004149.tif 000002
【特許請求の範囲】
【請求項１】
入力音声信号の位相を調整して、互いに位相がπ／２ズレた二つの第１段位相調整済信号を同期させて出力する第１段位相調整手段と、
第２調整用位相を経時的に変化させながら出力する調整用位相値制御手段と、
前記第２調整用位相の正弦値および余弦値の一方を第１乗算係数とし他方を第２乗算係数として算出し、前記二つの第１位相調整済信号の一方に対して前記第１乗算係数を乗算することで第１乗算済信号を出力するとともに、前記二つの第１位相調整済信号の他方に対して前記第２乗算係数を乗算することで第２乗算済信号を出力する第２段位相調整手段と、
前記第１乗算済信号と前記第２乗算済信号とを加算して、出力音声信号を生成する出力段加算器と、を備えたハウリング防止装置。
【請求項２】
前記第１段位相調整手段は、π／２位相シフト回路と遅延回路とが前記入力音声信号に対して並列に設置されている、請求項１に記載のハウリング防止装置。
【請求項３】
前記調整用位相値制御手段は、前記第２調整用位相を経時的に変化させる区間と、変化させない区間とが順に繰り返される位相制御を行う、請求項１または請求項２に記載のハウリング防止装置。
【請求項４】
請求項１〜請求項３に記載の前記第１段位相調整手段と、前記第２段位相調整手段と、前記出力段加算器と、からなる位相調整部が複数備えられ、
前記入力音声信号をそれぞれに異なる周波数帯域に帯域分割して、複数の前記位相調整部の第１段位相調整手段へ出力する帯域分割手段と、
各位相調整部の出力音声信号を加算して合成出力信号を生成する合成出力部と、
を備えた、ハウリング防止装置。
【発明の詳細な説明】
【技術分野】
【０００１】
この発明は、出力音声信号が入力音声信号として帰還することで生じるハウリングを未然に防止するハウリング防止装置に関するものである。
【背景技術】
【０００２】
拡声装置等では、ユーザの音声をマイクで収音し、収音信号を増幅してスピーカから放音する。この際、放音音声が再度マイクで収音されるフィードバックループによりハウリングが発生することがある。ハウリング音は、通常ユーザ等にとって不快なものであるので、従来、各種のハウリングキャンセラ（ハウリング防止装置）が考案されている。例えば、特許文献１では、入力音声信号に対して、それぞれに異なる四つの位相シフト（０°、４５°、９０°、１３５°）を行い、状況に応じて、これら位相シフト後の音声信号を用いてそれぞれに位相の異なる複数の出力用音声信号を生成し、クロスフェーダ等を用いて切り替えて出力している。
【特許文献１】特開２００６−２６１９６５号公報
【発明の開示】
【発明が解決しようとする課題】
【０００３】
従来のハウリングキャンセラでは、各種複雑な処理を行って出力用音声信号を得ている。例えば、上述の特許文献１では、（１）一つの入力音声信号に対して位相の異なる四つの音声信号を生成し、（２）これらを組み合わせて位相の異なる複数の出力用音声信号を生成する。さらに、（３）これら複数の出力用音声信号を切り替えて出力する。この際、（４）クロスフェード処理を行うことで出力される音声信号のレベルを一定に保持する。
【０００４】
このように、従来は、レベルが一定で位相が変化する出力音声信号を得るために、位相の異なる多くの音声信号を同時に生成したり、クロスフェードを行う等の比較的複雑でリソースを要する処理を行わなければならなかった。
【０００５】
本発明の目的は、比較的複雑な処理を行うことなく、ハウリングが発生しないように位相を変化させながら音声を出力するハウリング防止装置を実現することにある。
【課題を解決するための手段】
【０００６】
この発明のハウリング防止装置は、調整用位相値制御手段、第１段位相調整手段、第２段位相調整手段、および出力段加算器を備える。
【０００７】
第１段位相調整手段は、入力音声信号の位相を調整して、互いに位相がπ／２ズレた二つの第１段位相調整済信号を同期させて出力する。調整用位相値制御手段は、第１段位相調整済信号をさらに位相シフトさせるための第２調整用位相を経時的に変化させながら出力する。第２段位相調整手段は、第２調整用位相の正弦値および余弦値の一方を第１乗算係数とし他方を第２乗算係数として算出する。第２段位相調整手段は、二つの第１位相調整済信号の一方に対して第１乗算係数を乗算することで第１乗算済信号を出力する。また、第２段位相調整手段は、二つの第１位相調整済信号の他方に対して第２乗算係数を乗算することで第２乗算済信号を出力する。出力段加算器は、第１乗算済信号と第２乗算済信号とを加算して出力音声信号を生成する。
【０００８】
この構成では、まず、入力音声信号から、位相が互いにπ／２ズレた二つの第１段位相調整済信号が生成される。これら二つの第１段位相調整済信号には、常時π／２の位相差を保ちながら位相が変化する第１乗算係数、第２乗算係数がそれぞれ乗算される。具体的には、二つの第１段位相調整済信号の一方に第１乗算係数が乗算されて第１乗算済信号が生成され、他方の第１段位相調整済信号には第２乗算係数が乗算されて第２乗算済信号が生成される。これら第１乗算済信号と第２乗算済信号が加算される。これは、具体的に、入力音声信号および第１段位相調整済信号の一方をｃｏｓφとし、他方をｃｏｓ（φ−π／２）とし、第２調整用位相をθとし、第１乗算係数をｃｏｓθとし、第２乗算係数をｓｉｎθとした場合における、
ｃｏｓφ・ｃｏｓθ＋ｃｏｓ（φ−π／２）・ｓｉｎθ    −式１
に相当する。これは、位相φとθとの加法定理で単項のｃｏｓ（φ−θ）と置き換わることを意味する。すなわち、入力音声信号に対して、位相θが異なる出力音声信号が得られる。この位相θは、調整位相値制御手段により経時的に変化させられているので、結果として、入力音声信号に対して振幅が変化することなく、位相のみが経時的に変化する出力音声信号が得られる。
【０００９】
また、この発明のハウリング防止装置の第１段位相調整手段は、π／２位相シフト回路と遅延回路とが入力音声信号に対して並列に設置された構成からなる。
【００１０】
この構成では、位相シフト回路を二つ設けることなく一つで済むので、演算処理を簡素化できるとともに、リソースを節約することができる。
【００１１】
また、この発明のハウリング防止装置の調整用位相値制御手段は、第２調整用位相を経時的に変化させる区間と、変化させない区間とが順に繰り返される位相制御を行う。
【００１２】
この構成では、上述のように、位相を変化させると、位相変化速度に応じて出力音声信号の周波数特性が変化してしまうが、位相を変化させない区間を設けることで、出力音声信号の周波数特性の変化による聴感上の違和感を緩和することができる。
【００１３】
また、この発明のハウリング防止装置は、上述の第１段位相調整手段と、第２段位相調整手段と、出力段加算器とからなる位相調整部を複数備える。さらに、ハウリング防止装置は、入力音声信号をそれぞれに異なる周波数帯域に帯域分割して、複数の位相調整部の第１段位相調整手段へ出力する帯域分割手段と、各位相調整部の出力音声信号を加算して合成出力信号を生成する合成出力部と、を備える。
【００１４】
この構成では、位相の変化を周波数帯域毎に分割して行う。これにより、周波数帯域毎に適した位相変化を設定することもできる。
【発明の効果】
【００１５】
この発明によれば、比較的簡素な構成および処理で、入力音声信号に対して同等の振幅で且つ位相が変化する出力音声信号を生成でき、ハウリングを防止することができる。
【発明を実施するための最良の形態】
【００１６】
本発明の第１の実施形態に係るハウリング防止装置について図を参照して説明する。図１は、本実施形態のハウリング防止装置を備えた拡声装置の構成を示すブロック図である。
【００１７】
拡声装置は、マイクＭＩＣ、スピーカＳＰ、位相シフタ１、位相制御部２、増幅器３、ＡＤコンバータ（ＡＤＣ）４、デジタルアンプ（ＤＡＭＰ）５、適応型フィルタ６、加算器７を備える。ここで、位相シフタ１と位相制御部２とからなる部分が、本発明の「ハウリング防止装置」に相当する。
【００１８】
マイクＭＩＣは、ユーザの発声音等を収音して増幅器３へ与え、増幅器３は、収音音声信号を増幅してＡＤＣ４へ与える。ＡＤＣ４は、アナログの収音音声信号をデジタル形式に変換して、加算器７へ出力する。加算器７は、後述する適応型フィルタ６から与えられた疑似回帰音信号を収音音声信号から減算して、位相シフタ１へ出力する。
【００１９】
位相シフタ１は、入力された回帰音除去済みの音声信号（以下、単に「シフタ入力音声信号」）に対して、位相制御部２から与えられたシフト位相値θに基づいて位相調整を行う。位相シフタ１から出力されるシフタ出力信号は、ＤＡＭＰ５と適応型フィルタ６とに与えられる。
【００２０】
適応型フィルタ６は、加算器７の出力信号であるシフタ入力信号から推定したフィルタ係数を用いてシフタ出力信号に基づく上述の疑似回帰音信号を生成して、加算器７へ与える。
【００２１】
ＤＡＭＰ５は、位相調整後信号を増幅してスピーカＳＰに与え、スピーカＳＰは増幅された信号を放音する。
【００２２】
次に、位相シフタ１の具体的構成について図２を参照して説明する。図２は、図１に示した位相シフタ１の構成を示すブロック図である。
【００２３】
位相シフタ１は、第１段位相調整部１１、第２段位相調整部１２、加算器１３を備える。なお、以下の説明では、シフタ入力信号ｘ（ｔ）として説明する
第１段位相調整部１１は、位相調整器１１１、１１２を備え、シフタ入力信号ｘ（ｔ）がそれぞれ分配されて入力される。このシフタ入力信号ｘ（ｔ）が本発明の「入力音声信号」に相当する。位相調整器１１１は単なる遅延回路からなり、位相調整器１１２での位相調整により生じる遅延量に応じた遅延処理を、シフタ入力信号ｘ（ｔ）に対して行う。位相調整器１１２は、所謂ヒルベルトフィルタ等からなり、入力音声信号ｘ（ｔ）の全帯域での位相調整量を一致させた状態で位相調整を行う。この位相調整器１１２が本発明の「π／２位相シフト回路」に相当する。これにより、第１位相調整部１１から出力される第１段位相調整済信号Ｚ１（ｔ），Ｚ２（ｔ）は、互いの振幅レベルが同じで、位相差が常にπ／２［ｒａｄ］になる。
【００２４】
第２段位相調整部１２は、調整信号発生部１２１と乗算器１２３Ａ，１２３Ｂとを備える。調整信号発生部１２１は、余弦値発生部１２２Ａと正弦値発生部１２２Ｂとを備える。
【００２５】
余弦値発生部１２２Ａは、位相制御部２から与えられた位相調整値θに応じて余弦値ｃｏｓ（θ）を生成して、乗算器１２３Ａへ出力する。ここで、この余弦値ｃｏｓ（θ）が本発明の「第１乗算係数」に相当する。
【００２６】
正弦値発生部１２２Ｂは、位相制御部２から与えられた位相調整値θに応じて正弦値ｓｉｎ（θ）を生成して、乗算器１２３Ｂへ出力する。ここで、この正弦値ｓｉｎ（θ）が本発明の「第２乗算係数」に相当する。
【００２７】
なお、位相調整値θは、経時的に値が変化する（変化区間と一定区間とが繰り返してもよい）ものであり、この設定パターンについて後述する。
【００２８】
乗算器１２３Ａは、第１段位相調整済信号Ｚ１（ｔ）に余弦値ｃｏｓ（θ）を乗算して、第１乗算済信号Ｚ１（ｔ）・ｃｏｓ（θ）を出力する。乗算器１２３Ｂは、第１位相調整済信号Ｚ２（ｔ）に正弦値ｓｉｎ（θ）を乗算して、第２乗算済信号Ｚ２（ｔ）・ｓｉｎ（θ）を出力する。
【００２９】
加算器１３は、第１乗算済信号Ｚ１（ｔ）・ｃｏｓ（θ）と第２乗算済信号Ｚ２（ｔ）・ｓｉｎ（θ）とを加算して、シフタ出力信号ｙ（ｔ）を生成して出力する。このシフタ出力信号ｙ（ｔ）が本発明の「出力音声信号」に相当する。
【００３０】
このように、位相シフタ１で位相調整処理を行った場合、シフタ入力信号ｘ（ｔ）とシフタ出力信号ｙ（ｔ）とは、以下の関係になる。なお、これらの信号は音声信号であり、マイクで収音可能な周波数帯域内に含まれる複数の周波数成分を備えるが、以下では、説明を簡単にするために、シフタ入力信号ｘ（ｔ）を振幅が規格化（「１」）された特定の周波数ｆでの余弦波として説明する。
【００３１】
すなわち、シフタ入力信号ｘ（ｔ）は次式（式２）で表される。
【００３２】
ｘ（ｔ）＝ｃｏｓ（２πｆｔ）      −式２
位相調整器１１１から出力される第１段位相調整済信号Ｚ１（ｔ）は、位相調整器１１１における遅延をτとすると、式３で表される。なお、ここで
Ｚ１（ｔ）＝ｃｏｓ｛２πｆ（ｔ−τ）｝      −式３
一方、位相調整器１１２から出力される第１段位相調整済信号Ｚ２（ｔ）は、シフタ入力音声信号ｘ（ｔ）に対してπ／２だけ位相がシフトしているので、式４で表される。
【００３３】
Ｚ２（ｔ）＝ｃｏｓ｛２πｆ（ｔ−τ）−π／２｝      −式４
ただし、τは位相調整器１１２による位相シフト演算に伴う遅延である。以下、（ｔ−τ）をｔに置き換える。これにより、第２段位相調整部１２の乗算器１２３Ａから出力される、第１乗算済信号Ｚ１（ｔ）・ｃｏｓ（θ）は、式５で表される。
【００３４】
Ｚ１（ｔ）・ｃｏｓ（θ）＝ｃｏｓ（２πｆｔ）・ｃｏｓ（θ）      −式５
一方、第２段位相調整部１２の乗算器１２３Ｂから出力される、第１乗算済信号Ｚ２（ｔ）・ｓｉｎ（θ）は、式６で表される。
【００３５】
Ｚ２（ｔ）・ｓｉｎ（θ）＝ｃｏｓ（２πｆｔ−π／２）・ｓｉｎ（θ）      −式６
したがって、加算器１３から出力されるシフタ出力信号ｙ（ｔ）は、式７で表される。
【００３６】
ｙ（ｔ）＝Ｚ１（ｔ）・ｃｏｓ（θ）＋Ｚ２（ｔ）・ｓｉｎ（θ）
＝ｃｏｓ（２πｆｔ）・ｃｏｓ（θ）
＋ｃｏｓ（２πｆｔ−π／２）・ｓｉｎ（θ）      −式７
ここで、ｓｉｎ（θ）とｃｏｓ（θ）との変換関係および加法定理を用いると式７からなるシフタ出力信号ｙ（ｔ）は、次式で表される。
【００３７】
ｙ（ｔ）＝ｃｏｓ（θ）・ｃｏｓ（２πｆｔ）＋ｓｉｎ（θ）・ｓｉｎ（２πｆｔ）
＝ｃｏｓ（２πｆｔ−θ）        −式８
このように、シフタ出力信号ｙ（ｔ）は、シフタ入力信号ｘ（ｔ）に対して、振幅レベルが変化することなく、位相調整値θに準じた位相シフトが行われた信号となる。そして、位相調整値θが変化させられていることで、シフタ出力信号ｙ（ｔ）は、シフタ入力信号ｘ（ｔ）に対して、変化する位相調整値θに応じた位相シフト量の信号となる。
【００３８】
このように位相調整値θを変化させることで、帰還系すなわち使用環境とこの使用環境下で帰還の対象となる音声の周波数特性とによって決まるハウリングが発生しやすい周波数が時々刻々と変化する。これにより、正帰還による特定周波数成分の成長が防止され、ハウリングの発生を防止することができる。
【００３９】
また、第１段位相調整部１１の位相調整器１１１、１１２の一方を、単なる遅延回路とすることで、位相調整器１１１，１１２の双方をフィルタで構成しなくてもよいので、互いにπ／２の位相差を有する第１段位相調整済信号Ｚ１（ｔ），Ｚ２（ｔ）の生成を、簡素な回路構成および処理で実現することができる。
【００４０】
次に、位相調整値θの具体的な設定方法について説明する。
【００４１】
位相制御部２は、図３に示すような予め設定した位相シフトパターンに基づいて、例えばサンプリングタイミング等の所定タイミング毎に位相調整値θを決定し、調整信号発生部１２１へ与える。図３は、位相シフトパターンの例を示しており、（Ａ）は位相が変化する区間と位相が変化しない区間とが繰り返されるパターンを示し、（Ｂ）は位相が常時変化するパターンを示す。
【００４２】
具体的には、図３（Ａ）のパターンであれば、初期（ｔ＝０）での位相調整値θ＝０として、時刻ｔ１に応じたタイミングまでに経時的に位相調整値θを０からπ／２まで連続的に正の位相方向へ変化させる。この変化区間の時間長は例えば、５０ｍｓｅｃ．であり、当該時間長程度で且つ若干長いものがより良い。この後、所定時間（ｔ２−ｔ１）の間は、位相調整値θをπ／２で一定にする。
【００４３】
時刻ｔ２になると、時刻ｔ３に応じたタイミングになるまで経時的に位相調整値θをπ／２からπまで連続的に変化させる。この変化区間の時間長は、位相調整値θを０からπ／２まで連続的に変化させた場合と同じに設定されている。この後、所定時間（ｔ４−ｔ３）の間は、位相調整値θをπで一定にする。
【００４４】
時刻ｔ４になると、時刻ｔ５に応じたタイミングになるまで経時的に位相調整値θをπから３π／２まで連続的に変化させる。この変化区間の時間長は、位相調整値θを０からπ／２まで連続的に変化させた場合と同じに設定されている。この後、所定時間（ｔ６−ｔ５）の間は、位相調整値θを３π／２で一定にする。
【００４５】
時刻ｔ６になると、時刻ｔ７に応じたタイミングになるまで経時的に位相調整値θを３π／２から２π（＝０）まで連続的に変化させる。この変化区間の時間長は、位相調整値θを０からπ／２まで連続的に変化させた場合と同じに設定されている。この後、所定時間（ｔ８−ｔ７）の間は、位相調整値θを２π（＝０）で一定にする。
【００４６】
以下、位相制御部２は、上述の位相調整値θを変化させる区間と一定にする区間とを繰り返す制御を行う。
【００４７】
この図３（Ａ）に示すようなパターンを用いることで、位相を変化させることによって生じてしまう周波数特性の変化（δｆ＝δθ／δｔ）がユーザの聴感に与える影響を緩和することができる。なお、この一定区間の長さは、使用環境等によって適切な値は異なるが、定性的には、当該一定区間でハウリングが発生しない時間長であればよい。
【００４８】
一方、図３（Ｂ）のパターンであれば、初期（ｔ＝０）での位相調整値θ＝０として、所定時刻ｔ１１になるまで、経時的に位相調整値θを０から２πまで連続的に正の位相方向へ変化させる。位相制御部２は、上述の位相調整値θの変化を繰り返す制御を行う。
【００４９】
この図３（Ｂ）に示すようなパターンを用いることで、図３（Ａ）のように一定区間がなくなるので、これに起因するハウリングの発生は防止できる。
【００５０】
なお、上述の各パターンでは、５０ｍｓｅｃ．の時間長からなる変化区間で位相がπ／２シフトする例を示したが、より長くても、場合によっては短くてもよい。長くする場合、すなわち位相を変化させる割合を緩やかにする場合には、変化区間における周波数シフト量を低減させることができる。この場合、位相の変化割合が緩やかすぎると、変化区間でもハウリングが発生する可能性があるので、これら周波数シフト量による聴感上の問題と、ハウリングの発生の問題との双方を加味して変化区間長および当該変化区間長で変化させる位相シフト量を設定するとよい。なお、調整用位相値の変化の仕方は、上述の例に限らない。音質の変化が少なく、ハウリングを防止する効果が得られればよい。
【００５１】
次に、第２の実施形態に係るハウリング防止装置について図を参照して説明する。図４は本実施形態のハウリング防止装置を備えた拡声装置の構成を示すブロック図である。
【００５２】
本実施形態の図４に示すハウリング防止装置は、第１の実施形態の図１、図２に示したハウリング防止装置に対して、周波数分割の概念を用いたものである。したがって、拡声装置として第１の実施形態と同じ部分に関しては、同じ符号を付して説明を省略する。
【００５３】
本実施形態のハウリング防止装置は、周波数分割型位相シフタ８と位相制御部２’とを備える。周波数分割型位相シフタ８は、バンドパスフィルタＢＰＦ（Ａ）〜ＢＰＦ（Ｍ）と、位相シフタ８１Ａ〜８１Ｍと、加算器８２とを備える。なお、この説明では、バンドパスフィルタおよび位相シフタの数が、Ａ〜Ｍの１３個の例を示したが、この個数は装置仕様に応じて適宜設定すればよい。
【００５４】
バンドパスフィルタＢＰＦ（Ａ）〜ＢＰＦ（Ｍ）は、それぞれに異なる周波数帯域を通過帯域とする。バンドパスフィルタＢＰＦ（Ａ）〜ＢＰＦ（Ｍ）は、それぞれの通過帯域に応じてシフタ入力信号を帯域通過処理し、この帯域通過処理済みの個別帯域信号を、位相シフタ８１Ａ〜８１Ｍへ出力する。
【００５５】
位相シフタ８１Ａ〜８１Ｍは、バンドパスフィルタＢＰＦ（Ａ）〜ＢＰＦ（Ｍ）にそれぞれ対応して設置されており、それぞれが第１の実施形態に示した位相シフタ１と同様の構成からなる。位相シフタ８１Ａ〜８１Ｍは、個別帯域信号が入力されると、位相制御部２’からの個別位相調整値θＡ〜θＭに基づいて位相調整処理を行って、シフト済個別帯域信号を出力する。なお、個別位相調整値θＡ〜θＭは、位相制御部２’にて、個別帯域毎に個々に設定された位相調整値である。そして、個別位相調整値θＡ〜θＭは、第１の実施形態の図３に示したような位相シフトパターンが個別帯域毎に予め設定されており、このパターンに準じて変化する。
【００５６】
加算器８２は、位相シフタ８１Ａ〜８１Ｍからのシフト済個別帯域信号を加算して、周波数分割型位相シフタ８としてのシフタ出力信号を出力する。
【００５７】
このような構成であっても、上述の第１の実施形態と同様にハウリングを防止することができる。さらに、個別帯域毎に位相シフトパターンを調整することができるので、例えば、個別帯域毎に正帰還する信号のレベルの成長を観測する機能部を設ければ、この成長をトリガとして、特定の周波数帯域のみの位相シフトパターンを変えることもできる。
【００５８】
なお、以上の各実施形態では、位相を正方向へ変化させる方法を例に示したが、位相を負方向（２π（０）から０へ向く方向）へ変化させるようにしてもよい。
【００５９】
また、上述の位相を変化させる区間と、位相を一定にする区間とが繰り返されるパターンでは、一つの位相を変化させる区間でπ／４の位相変化を与える例を示したが、例えば、π／３の位相変化等、他の位相変化量であってもよい。
【００６０】
また、上述の説明では、ハウリング防止装置を拡声装置に備える例を示したが、ハウリングの発生が好まれない装置に対しては、上述のハウリング防止装置を設置することができ、上述の作用効果を奏することができる。
【図面の簡単な説明】
【００６１】
【図１】第１の実施形態のハウリング防止装置を備えた拡声装置の構成を示すブロック図である。
【図２】図１に示した位相シフタ１の構成を示すブロック図である。
【図３】位相シフトパターンの例を示す図である。
【図４】第２の実施形態のハウリング防止装置を備えた拡声装置の構成を示すブロック図である。
【符号の説明】
【００６２】
１，８１Ａ〜８１Ｍ−位相シフタ、２，２’−位相制御部、３−増幅器、４−ＡＤコンバータ（ＡＤＣ）、５−デジタルアンプ（ＤＡＭＰ）、６−適応型フィルタ６、７−加算器、１１−第１段位相調整部、１２−第２段位相調整部、１３−加算器、１１１，１１２−位相調整器、１２１−調整信号発生部、１２２Ａ−余弦値発生部、１２２Ｂ−正弦値発生部、１２３Ａ，１２３Ｂ−乗算器、８−周波数分割型位相シフタ、８２−加算器
【図１】
2010004149.tif 000003
【図２】
2010004149.tif 000004
【図３】
2010004149.tif 000005
【図４】
2010004149.tif 000006